(57)【要約】    【課題】超小型ハード・ディスク・ドライブでは、高さが嵩張らず小型化に適した組立構造、密閉性が高いシール構造が要求されている。    【解決手段】ディスク１１、ヘッドなどの機能部材１０を収容するベース・プレート３２のトップ・カバー３３がネジ止めされる箇所（段差部平坦部）には、バーリング部３２１がトップ・カバー３３の方向に形成されており、その内壁には雌ネジが切られている。トップ・カバー３３のプレス加工された三隅の凹部平坦部にも上方向にバーリング部３３１が形成されており、ベース・プレート３２のバーリング部３２１の径よりも大きな径を有し、ベース・プレート３２のバーリング部３２１が嵌入された状態でトップ・カバー・スクリュー３５がねじ込まれるようになっている。トップ・カバー３３をベース・プレート３２に取り付けた後、トップ・カバー３３、ベース・プレート３２、トップ・カバー・スクリュー３５の上面を覆うカバー・シール３６が貼られる。【選択図】  図４
2005078763.tif 000002
【特許請求の範囲】
【請求項１】
情報記憶媒体としてのディスクを含む機能部材と、該機能部材を収容する筐体部材と、該筐体部材に収容された前記機能部材を覆うカバーとを有し、前記筐体部材の前記カバーが取り付けられる箇所に該カバーの方向に突出しその内壁に雌ネジが切られたバーリング部が設けられ、前記カバーは前記バーリング部にネジ止めされていることを特徴とするディスク装置。
【請求項２】
前記カバーは前記筐体部材にネジ止めされる箇所に凹部平坦部を有し、該凹部平坦部に形成された穴に前記バーリング部が嵌入されてネジ止めされていることを特徴とする請求項１記載のディスク装置。
【請求項３】
前記筐体部材、カバー及びネジ止め部の上面と、前記筐体部材の底面のネジ止め部にシールが貼られていることを特徴とする請求項２記載のディスク装置。
【請求項４】
前記シールは、粘着テープであることを特徴とする請求項３記載のディスク装置。
【請求項５】
前記カバーは前記筐体部材にネジ止めされる箇所に凹部平坦部を有し、該凹部平坦部には前記筐体部材のバーリング部の径よりも大きな径を有し該筐体部材のバーリング部と同じ方向に突出したバーリング部が設けられ、前記筐体部材のバーリング部が前記カバーのバーリング部に嵌入されてネジ止めされていることを特徴とする請求項１記載のディスク装置。
【請求項６】
前記筐体部材、カバー及びネジ止め部の上面と、前記筐体部材の底面のネジ止め部にシールが貼られていることを特徴とする請求項５記載のディスク装置。
【請求項７】
前記シールは、粘着テープであることを特徴とする請求項６記載のディスク装置。
【請求項８】
ディスクと、ヘッドと、該ヘッドからの信号を伝送するケーブルが接続されるコネクタを保持するケーブル・プレートと、前記ディスクとヘッドとケーブル・プレートを収容する筐体部材と、該筐体部材に収容された前記ディスクとヘッドとケーブル・プレートを覆うカバーとを有し、前記筐体部材の前記ケーブル・プレートが取り付けられる箇所に前記カバーの方向に突出しその内壁に雌ネジが切られた第１のバーリング部が設けられ、前記ケーブル・プレートは前記第１のバーリング部にネジ止めされ、前記筐体部材の前記カバーが取り付けられる箇所に前記カバーの方向に突出しその内壁に雌ネジが切られた第２のバーリング部が設けられ、前記カバーは前記第２のバーリング部にネジ止めされていることを特徴とするディスク装置。
【請求項９】
前記カバーは前記筐体部材にネジ止めされる箇所に凹部平坦部を有し、該凹部平坦部に形成された穴に前記第２のバーリング部が嵌入されてネジ止めされていることを特徴とする請求項８記載のディスク装置。
【請求項１０】
前記筐体部材、カバー及びネジ止め部の上面と、前記筐体部材の底面のネジ止め部にシールが貼られていることを特徴とする請求項９記載のディスク装置。
【請求項１１】
前記シールは、粘着テープであることを特徴とする請求項１０記載のディスク装置。
【請求項１２】
前記カバーは前記筐体部材にネジ止めされる箇所に凹部平坦部を有し、該凹部平坦部には前記第２のバーリング部の径よりも大きな径を有し該第２のバーリング部と同じ方向に突出した第３のバーリング部が設けられ、前記第２のバーリング部が前記第３のバーリング部に嵌入されてネジ止めされていることを特徴とする請求項８記載のディスク装置。
【請求項１３】
前記筐体部材、カバー及びネジ止め部の上面と、前記筐体部材の底面のネジ止め部にシールが貼られていることを特徴とする請求項１２記載のディスク装置。
【請求項１４】
前記シールは、粘着テープであることを特徴とする請求項１３記載のディスク装置。
【請求項１５】
情報記憶媒体としてのディスクを含む機能部材と、該機能部材を収容する筐体部材と、該筐体部材に収容された前記機能部材を覆うカバーと、一辺にコネクタが配置され、前記筐体部材に取り付けられる基板と、前記筐体部材の前記コネクタが位置する側面以外の側面を覆う衝撃吸収部材とを有し、前記筐体部材の前記カバーが取り付けられる箇所に前記カバーの方向に突出しその内壁に雌ネジが切られたバーリング部が設けられ、前記カバーは前記バーリング部にネジ止めされていることを特徴とするディスク装置。
【請求項１６】
前記カバーは前記筐体部材にネジ止めされる箇所に凹部平坦部を有し、該凹部平坦部に形成された穴に前記バーリング部が嵌入されてネジ止めされていることを特徴とする請求項１５記載のディスク装置。
【請求項１７】
前記筐体部材、カバー及びネジ止め部の上面と、前記筐体部材の底面のネジ止め部にシールが貼られていることを特徴とする請求項１６記載のディスク装置。
【請求項１８】
前記シールは、粘着テープであることを特徴とする請求項１７記載のディスク装置。
【請求項１９】
前記カバーは前記筐体部材にネジ止めされる箇所に凹部平坦部を有し、該凹部平坦部には前記筐体部材のバーリング部の径よりも大きな径を有し該筐体部材のバーリング部と同じ方向に突出したバーリング部が設けられ、前記筐体部材のバーリング部が前記カバーのバーリング部に嵌入されてネジ止めされていることを特徴とする請求項１５記載のディスク装置。
【請求項２０】
前記筐体部材、カバー及びネジ止め部の上面と、前記筐体部材の底面のネジ止め部にシールが貼られていることを特徴とする請求項１９記載のディスク装置。
【請求項２１】
前記シールは、粘着テープであることを特徴とする請求項２０記載のディスク装置。
【請求項２２】
ボトム・カバーと、該ボトム・カバーに収容され、一辺にコネクタが配置された基板と、前記コネクタが側面に位置するように前記基板の上に配置されたベース・プレートと、該ベース・プレートに収容されたディスク及びヘッドと、前記ベース・プレートの上面を覆うトップ・カバーと、前記ベース・プレートの前記コネクタが位置する側面以外の側面を覆う衝撃吸収部材とを有し、前記ベース・プレートの前記トップ・カバーがネジ止めされる箇所に前記トップ・カバーの方向に突出しその内壁に雌ネジが切られたバーリング部が設けられ、前記トップ・カバーは前記バーリング部にネジ止めされていることを特徴とするディスク装置。
【請求項２３】
前記トップ・カバーは前記ベース・プレートにネジ止めされる箇所に凹部平坦部を有し、該凹部平坦部に形成された穴に前記バーリング部が嵌入されてネジ止めされていることを特徴とする請求項２２記載のディスク装置。
【請求項２４】
前記ベース・プレート、トップ・カバー及びネジ止め部の上面と、前記ベース・プレートの底面のネジ止め部にシールが貼られていることを特徴とする請求項２３記載のディスク装置。
【請求項２５】
前記シールは、粘着テープであることを特徴とする請求項２４記載のディスク装置。
【請求項２６】
前記トップ・カバーは前記ベース・プレートにネジ止めされる箇所に凹部平坦部を有し、該凹部平坦部には前記ベース・プレートのバーリング部の径よりも大きな径を有し該ベース・プレートのバーリング部と同じ方向に突出したバーリング部が設けられ、前記ベース・プレートのバーリング部が前記トップ・カバーのバーリング部に嵌入されてネジ止めされていることを特徴とする請求項２２記載のディスク装置。
【請求項２７】
前記ベース・プレート、トップ・カバー及びネジ止め部の上面と、前記ベース・プレートの底面のネジ止め部にシールが貼られていることを特徴とする請求項２６記載のディスク装置。
【請求項２８】
前記シールは、粘着テープであることを特徴とする請求項２７記載のディスク装置。
【請求項２９】
ボトム・カバーと、該ボトム・カバーに収容され、一辺に第１のコネクタが配置された基板と、前記第１のコネクタが側面に位置するように前記基板の上に配置されたベース・プレートと、該ベース・プレートに収容された磁気ディスクとヘッドと該ヘッドからの信号を伝送するケーブルが接続される第２のコネクタを保持するケーブル・プレートと、前記磁気ディスクとヘッドとケーブル・プレートの上面を覆うトップ・カバーと、前記ベース・プレートの前記第１コネクタが位置する側面以外の側面を覆う衝撃吸収部材であるフレーム・バンパとを有し、前記ベース・プレートの前記ケーブル・プレートが取り付けられる箇所に前記トップ・カバーの方向に突出しその内壁に雌ネジが切られた第１のバーリング部が設けられ、前記ケーブル・プレートは前記第１のバーリング部にネジ止めされ、前記ベース・プレートの前記トップ・カバーが取り付けられる箇所に該トップ・カバーの方向に突出しその内壁に雌ネジが切られた第２のバーリング部が設けられ、前記トップ・カバーは前記第２のバーリング部にネジ止めされていることを特徴とする磁気ディスク装置。
【請求項３０】
前記トップ・カバーは前記ベース・プレートにネジ止めされる箇所に凹部平坦部を有し、該凹部平坦部に形成された穴に前記第２のバーリング部が嵌入されてネジ止めされていることを特徴とする請求項２９記載の磁気ディスク装置。
【請求項３１】
前記ベース・プレート、トップ・カバー及びネジ止め部の上面と、前記ベース・プレートの底面のネジ止め部にシールが貼られていることを特徴とする請求項３０記載の磁気ディスク装置。
【請求項３２】
前記シールは、粘着テープであることを特徴とする請求項３１記載の磁気ディスク装置。
【請求項３３】
前記トップ・カバーは前記ベース・プレートにネジ止めされる箇所に凹部平坦部を有し、該凹部平坦部には前記第２のバーリング部の径よりも大きな径を有し該第２のバーリング部と同じ方向に突出した第３のバーリング部が設けられ、前記第２のバーリング部が前記第３のバーリング部に嵌入されてネジ止めされていることを特徴とする請求項２９記載の磁気ディスク装置。
【請求項３４】
前記ベース・プレート、トップ・カバー及びネジ止め部の上面と、前記ベース・プレートの底面のネジ止め部にシールが貼られていることを特徴とする請求項３３記載の磁気ディスク装置。
【請求項３５】
前記シールは、粘着テープであることを特徴とする請求項３４記載の磁気ディスク装置。
【発明の詳細な説明】
【技術分野】
【０００１】
本発明は、ディスク装置に係り、特に高さが嵩張らず、密閉性の良い小型ディスク装置に関する。
【背景技術】
【０００２】
従来より、パーソナル・コンピュータ(ＰＣ)やディジタル・カメラ等の各種機器において、取り扱うデータを格納するために、可搬性を備えた記憶媒体が多種多様に提供されている。近年では、これらの記憶媒体の小型化、大容量化が図られており、例えば、小型メモリ・カードの規格の一つであるコンパクト・フラッシュ(Compact Flash:サンディスク社の商標)に準拠した、可搬性のあるハード・ディスク・ドライブ(ＨＤＤ)の新しいアッセンブリ構造が提案されている。
【０００３】
例えば、コンパクト・フラッシュType２規格の小型ハード・ディスク・ドライブでは、サイズ１インチのディスクに１ＧＢの容量を持たせた、重さがわずか１６グラム程度の超小型かつ大容量のハード・ディスク・ドライブも製品化されている。このディスク装置が挿入される装着対象物であるＰＣカードは、ディスク装置と同じ、例えばコンパクト・フラッシュType-２等の規格に準拠しており、ディスク装置を挿入可能に構成されている。
【０００４】
この可搬性のある小型ハード・ディスク・ドライブにおいても、データを格納する磁気ディスク(ディスク)だけではなく、このディスクを回転駆動させるスピンドル・モータ、このディスクに対しデータを読み書きする読み書きヘッド、読み書きヘッドをディスクの径方向に駆動するアクチュエータ等を備えている。小型化のために、ディスク、スピンドル・モータ、読み書きヘッド、アクチュエータ等の機能構造部は非常に精密に構成されている。特許文献１には、コンパクト・フラッシュの規格に適合する小型ディスク装置のアッセンブリ構造が開示されている。
【０００５】
【特許文献１】特開２００２−１５５５３号公報(第４−５頁、図１)
【発明の開示】
【発明が解決しようとする課題】
【０００６】
超小型ハード・ディスク・ドライブでは、コンパクト・フラッシュの規格に適合するために、高さ方向に制限があり、機構部品や筐体部材の締結部品などが制限される。したがって、小型化に適した組立構造が要求されている。また、装置内部にゴミなどの異物が混入すると、ヘッド・クラッシュの要因となり、致命的な欠陥を引き起こす。したがって、密閉性の良いシール構造が要求されている。
【０００７】
本発明の目的は、高さが嵩張らず、組み立てが容易な小型ディスク装置を提供することにある。
【０００８】
本発明の他の目的は、密閉性が高いシール構造を有する小型ディスク装置を提供することにある。
【課題を解決するための手段】
【０００９】
上記目的を達成するために、本発明のディスク装置においては、情報記憶媒体としてのディスクを含む機能部材と、該機能部材を収容する筐体部材と、該筐体部材に収容された前記機能部材を覆うカバーとを有し、前記筐体部材の前記カバーが取り付けられる箇所に該カバーの方向に突出しその内壁に雌ネジが切られたバーリング部が設けられ、前記カバーは前記バーリング部にネジ止めされている。
【００１０】
前記カバーは前記筐体部材にネジ止めされる箇所に凹部平坦部を有し、該凹部平坦部に形成された穴に前記バーリング部が嵌入されてネジ止めされている。
【００１１】
または、前記カバーは前記筐体部材にネジ止めされる箇所に凹部平坦部を有し、該凹部平坦部には前記筐体部材のバーリング部の径よりも大きな径を有し該筐体部材のバーリング部と同じ方向に突出したバーリング部が設けられ、前記筐体部材のバーリング部が前記カバーのバーリング部に嵌入されてネジ止めされている。
【００１２】
前記筐体部材、カバー及びネジ止め部の上面と、前記筐体部材の底面のネジ止め部にはシールが貼られている。
【００１３】
前記シールは、粘着テープであることが好ましい。
【００１４】
上記目的を達成するために、本発明のディスク装置においては、ディスクと、ヘッドと、該ヘッドからの信号を伝送するケーブルが接続されるコネクタを保持するケーブル・プレートと、前記ディスクとヘッドとケーブル・プレートを収容する筐体部材と、該筐体部材に収容された前記ディスクとヘッドとケーブル・プレートを覆うカバーとを有し、前記筐体部材の前記ケーブル・プレートが取り付けられる箇所に前記カバーの方向に突出しその内壁に雌ネジが切られた第１のバーリング部が設けられ、前記ケーブル・プレートは前記第１のバーリング部にネジ止めされ、前記筐体部材の前記カバーが取り付けられる箇所に前記カバーの方向に突出しその内壁に雌ネジが切られた第２のバーリング部が設けられ、前記カバーは前記第２のバーリング部にネジ止めされている。
【００１５】
前記カバーは前記筐体部材にネジ止めされる箇所に凹部平坦部を有し、該凹部平坦部に形成された穴に前記第２のバーリング部が嵌入されてネジ止めされている。
【００１６】
または、前記カバーは前記筐体部材にネジ止めされる箇所に凹部平坦部を有し、該凹部平坦部には前記第２のバーリング部の径よりも大きな径を有し該第２のバーリング部と同じ方向に突出した第３のバーリング部が設けられ、前記第２のバーリング部が前記第３のバーリング部に嵌入されてネジ止めされている。
【００１７】
前記筐体部材、カバー及びネジ止め部の上面と、前記筐体部材の底面のネジ止め部にはシールが貼られている。
【００１８】
前記シールは、粘着テープであることが好ましい。
【００１９】
上記目的を達成するために、本発明のディスク装置においては、情報記憶媒体としてのディスクを含む機能部材と、該機能部材を収容する筐体部材と、該筐体部材に収容された前記機能部材を覆うカバーと、一辺にコネクタが配置され、前記筐体部材に取り付けられる基板と、前記筐体部材の前記コネクタが位置する側面以外の側面を覆う衝撃吸収部材とを有し、前記筐体部材の前記カバーが取り付けられる箇所に前記カバーの方向に突出しその内壁に雌ネジが切られたバーリング部が設けられ、前記カバーは前記バーリング部にネジ止めされている。
【００２０】
上記目的を達成するために、本発明のディスク装置においては、ボトム・カバーと、該ボトム・カバーに収容され、一辺にコネクタが配置された基板と、前記コネクタが側面に位置するように前記基板の上に配置されたベース・プレートと、該ベース・プレートに収容されたディスク及びヘッドと、前記ベース・プレートの上面を覆うトップ・カバーと、前記ベース・プレートの前記コネクタが位置する側面以外の側面を覆う衝撃吸収部材とを有し、前記ベース・プレートの前記トップ・カバーがネジ止めされる箇所に前記トップ・カバーの方向に突出しその内壁に雌ネジが切られたバーリング部が設けられ、前記トップ・カバーは前記バーリング部にネジ止めされている。
【００２１】
上記目的を達成するために、本発明の磁気ディスク装置においては、ボトム・カバーと、該ボトム・カバーに収容され、一辺に第１のコネクタが配置された基板と、前記第１のコネクタが側面に位置するように前記基板の上に配置されたベース・プレートと、該ベース・プレートに収容された磁気ディスクとヘッドと該ヘッドからの信号を伝送するケーブルが接続される第２のコネクタを保持するケーブル・プレートと、前記磁気ディスクとヘッドとケーブル・プレートの上面を覆うトップ・カバーと、前記ベース・プレートの前記第１コネクタが位置する側面以外の側面を覆う衝撃吸収部材であるフレーム・バンパとを有し、前記ベース・プレートの前記ケーブル・プレートが取り付けられる箇所に前記トップ・カバーの方向に突出しその内壁に雌ネジが切られた第１のバーリング部が設けられ、前記ケーブル・プレートは前記第１のバーリング部にネジ止めされ、前記ベース・プレートの前記トップ・カバーが取り付けられる箇所に該トップ・カバーの方向に突出しその内壁に雌ネジが切られた第２のバーリング部が設けられ、前記トップ・カバーは前記第２のバーリング部にネジ止めされている。
【発明の効果】
【００２２】
本発明によれば、高さが嵩張らず、組み立てが容易な小型ディスク装置を提供することができる。また、密閉性が高いシール構造を有する小型ディスク装置を提供するこができる。
【発明を実施するための最良の形態】
【００２３】
以下、図面を参照して本発明の最良の実施の形態について詳細に説明する。図４に本発明の実施例によるディスク装置１のアッセンブリ構造を示し、図１に各構成部材を組み立てて得られたディスク装置１の、トップ・カバー３３を取り付けていない状態の斜視図を示す。小型メモリ・カードの規格であるコンパクト・フラッシュType-２規格に準拠した記憶媒体、可搬性精密機器として、本実施例によるディスク装置１は、データの記録・再生のための駆動部材(内蔵部)である機能部材１０、機能部材１０の駆動制御やデータ入出力のための回路を形成するカード・アッセンブリ２０を有し、これらが筐体部材によって保持されている。カード・アッセンブリ２０は、基板２１上の一辺に、コンパクト・フラッシュType-２規格のフォーム・ファクタで定める機能、構造を満足するコネクタ(インタフェースコネクタ)２２を備えている。
【００２４】
機能部材１０は、データを格納する記憶媒体である回転可能に軸支される磁気ディスク(ディスク)１１、磁気ディスク１１に対してデータを読み書きするヘッドを先端部に備えるアクチュエータ・アッセンブリ１２、アクチュエータ・アッセンブリ１２を駆動させるボイス・コイル・モータ(ＶＣＭ)として、ＶＣＭコイルやＶＣＭマグネット等からなるＶＣＭアッセンブリ１３、スピンドル・モータ(図示せず)に磁気ディスク１１を装着した後に磁気ディスク１１をスピンドル・モータに固定するトップ・クランプ１４、ヘッドがディスク１１から退避する際に乗り上げるランプ機構１５、ディスク装置１が動作していないときに、ヘッドをランプ機構１５に停止させるための、マグネット・ラッチやイナーシャ・ラッチ等からなるラッチ１６を備えている。
【００２５】
筐体部材としては、コンパクト・フラッシュType-２のフォーム・ファクタを有するものとして、衝撃吸収部材(衝撃緩衝材)として弾性部材からなるフレーム・バンパ３０、装置全体を支えるボトム・カバー３１、機能部材１０の各要素を収容するための底浅の箱状をなしたベース・プレート３２、ベース・プレート３２に収容された機能部材１０を覆うトップ・カバー３３を備えている。
【００２６】
また、ボトム・カバー３１側からボトム・カバー３１、カード・アッセンブリ２０、フレーム・バンパ３０を突き抜けてこれらをベース・プレート３２に締結するボトム・カバー・スクリュー３４と、トップ・カバー３３をベース・プレート３２に締結するトップ・カバー・スクリュー３５を備えている。ベース・プレート３２の四隅にはボトム・カバー・スクリュー３４がねじ込まれるバーリング部がボトム・カバー方向に形成されており、トップ・カバー３３がネジ止めされる箇所（段差部平坦部）にはトップ・カバー・スクリュー３５がねじ込まれるバーリング部３２１がトップ・カバー方向に形成されており、それぞれのバーリング部の内壁には雌ネジが切られている。
【００２７】
トップ・カバー３３のプレス加工された三隅の凹部平坦部にも上方向にバーリング部３３１が形成されており、ベース・プレート３２のバーリング部３２１の径よりも大きな径を有し、ベース・プレート３２のバーリング部３２１が嵌入されるようになっている。さらに、トップ・カバー３３をベース・プレート３２に取り付けた後、トップ・カバー３３の端部とベース・プレート３２の隙間及びトップ・カバー・スクリュー３５の頭部を覆うカバー・シール３６を備えている。
【００２８】
本実施例ではトップ・カバー３３にもバーリング部３３１を形成しているが、バーリング部を形成しないで穴を開けるだけでも良い。
【００２９】
ベース・プレート３２は、従前は、金属のアルミ・ダイキャストによって形成されていた。しかしながら、アルミ・ダイキャストが表面に出ていると、衝撃に対して非常に弱くなる。そこで、本実施例では、鋳造(Casting)で形成されていたフレーム部分の代わりに、衝撃吸収部材としてのフレーム・バンパ３０を採用している。その結果、ベース・プレート３２は、金属板をプレス加工(Pressing)によって形成することが可能となり、鋳造で支配されていた肉厚部分をフレーム・バンパ３０の衝撃吸収部材として利用でき、また、ベース・プレート３２の低価格化に貢献している。
【００３０】
ベース・プレート３２のバーリング部は、バーリング部を形成する箇所に小さな穴を明け、その穴を基点にして所望の径を有する棒状の工具でめくり起こして形成する。バーリング部の内壁には、ボトム・カバー・スクリュー３４、トップ・カバー・スクリュー３５がねじ込まれる雌ネジが切られる。バーリング部を形成することにより、ベース・プレート３２の厚みだけでは十分ではない雌ネジのネジ山の数を増やすことができる。バーリング部３２１の高さは、ベース・プレート３２の周囲の平坦部よりも低い。バーリング部を形成することにより、ボトム・カバー・スクリュー３４、トップ・カバー・スクリュー３５を締結するためのナットなどの部品を必要としない。
【００３１】
ベース・プレート３２の角部の底面には、フィルタを収容したブラケットを圧入して固定するためのボス３２３がプレス加工により複数形成されている。また、ベース・プレート３２の反対側の角部の底面には、図４には現れていないが（図８に現れている）、ＶＣＭの下部ヨークを固定する際の位置決めに使用されるボスが複数形成されている。
【００３２】
図２にベース・プレート３２にトップ・カバー３３を被せた状態を示すが、トップ・カバー３３のバーリング部３３１の内部にベース・プレート３２のバーリング部３２１が嵌入されるようにする。こうすることにより、ベース・プレート３２に対するトップ・カバー３３の位置決めをすることができ、トップ・カバー３３を位置決めした状態でトップ・カバー・スクリュー３５をねじ込むことができる。
【００３３】
トップ・カバー・スクリュー３５をねじ込んだ状態での図２のＡ−Ａ線断面図を図３に示すが、トップ・カバー３３のバーリング部３３１にベース・プレート３２のバーリング部３２１が嵌入され、ベース・プレート３２のバーリング部３２１にトップ・カバー・スクリュー３５がねじ込まれている様子が理解できる。このとき、ベース・プレート３２の平坦部と、トップ・カバー３３の平坦部と、トップ・カバー・スクリュー３５の頭部はほぼ同じ高さの平面を形成している。
【００３４】
ベース・プレート３２はプレス加工で形成されるため、プレスした部分の縁は曲面となる。したがって、ベース・プレート３２にバーリング部が形成されていない場合は、ベース・プレート３２にトップ・カバー３３を位置決めすることが難しく作業性が悪い。また、ネジ止めした状態でベース・プレート３２とトップ・カバー３３の端部との間に隙間が生じる可能性もある。上記実施例においては、バーリング部を有するため、このような問題は解決されている。
【００３５】
図１を参照するに、フレーム・バンパ３０はベース・プレート３２の変更で生まれたスペースを活用し、衝撃緩衝材としての機能を有し、コンパクト・フラッシュType-２として必要なサイド・スロットを有する１つの成型部品である。この成型部品は、例えばポリエステル・エラストマ等の熱可塑性エラストマで構成されており、適度な弾性と共に、成型後の寸法安定性に優れている。
【００３６】
フレーム・バンパ３０は、例えばベース・プレート３２に対して、その周囲が０.５ｍｍ〜１ｍｍだけ大きくなるように設計されており、コネクタ２２の表面とは同等の平面を形成している。また、フレーム・バンパ３０の隅の部分は、最も衝撃が加わり易いことを考慮して肉厚が厚くなるように設計されている。このように周囲(外形の２次元方向である側面)をフレーム・バンパ３０とコネクタ２２で覆うことで、側面方向の衝撃に対して、ディスク装置１を保護することが可能となる。
【００３７】
図５はトップ・カバー３３を外した状態のディスク装置１の上面図を示す。読み書きヘッドからの信号及び読み書きヘッドへの信号は、ＦＣ（Flex cable）１８によって伝達される。ＦＣ１８はアクチュエータ・アッセンブリ１２側のＦＣ基板とＦＣプレート１７側のコネクタに接続され、アクチュエータ・アッセンブリ１２の回転に追従して動けるようになっている。ＦＣプレート１７の取り付け位置がずれている場合は、ＦＣ１８の動きに影響を与えることになり、最悪の状態では、ＦＣ１８がアクチュエータ・アッセンブリ１２や回転する磁気ディスク１１と接触することになる。したがって、ベース・プレート３２へのＦＣプレート１７の正確な位置決めが要求される。
【００３８】
図６は本発明の実施例によるベース・プレート３２へのＦＣプレート１７の取り付けを説明するための図である。図７は部分拡大図である。ベース・プレート３２のＦＣプレート１７の取り付け箇所にはバーリング部３２２が形成され、その内壁には雌ネジが切られている。ＦＣプレート１７にはバーリング部３２２の径よりも大きな径の穴が開けられている。
【００３９】
先ずＦＣプレート１７を、ベース・プレート３２のバーリング部３２２がＦＣプレート１７の穴を貫通するように配置することにより、ＦＣプレート１７を位置決めし、次にネジ１９を、図８の（１）、（２）で示す順序で矢印の方向に締めることにより、ＦＣプレート１７をベース・プレート３２の壁面に当接させた状態で、すなわち正確な位置で固定することができる。また、ＦＣプレート１７は、バーリング部３２２の根元で、ベース・プレート３２の平坦面に位置決めされるので（図７参照）、高さ方向の寸法精度も良くなっている。
【００４０】
図５を再び参照するに、ディスク装置１のコネクタ２２が位置する側のディスク１１に近い方の隅に、ディスク１１の外周に沿って、フィルタを収容したブラケット４０が配置される。フィルタはブラケット４０に弓状の形にして納められている。ブラケット４０は、底部に複数の溝が形成されており、この溝を利用してベース・プレート３２に形成されたボス３２３（図１参照）に圧入されて固定される。
【００４１】
図９（ａ）にベース・プレート３２にトップ・カバー３３をトップ・カバー・スクリュー３５で取り付けた状態の上面図を示す。ベース・プレート３２とトップ・カバー３３の端部との間にはわずかな隙間が生じる場合がある。その隙間からゴミなどの異物が混入するのを防止するために、図９（ｂ）に示すようにディスク装置１の上面全体を覆うようにカバー・シール３６が貼られる。図９（ｂ）のＢ−Ｂ断面図を図１０に示すが、ベース・プレート３２の平坦部と、トップ・カバー３３の平坦部と、トップ・カバー・スクリュー３５の頭部はほぼ同じ高さの平面を形成しているので、カバー・シール３６を隙間がなく貼ることができる。したがって、密閉性が高くなる
図９（ｃ）にベース・プレート３２の底面図を示す。ベース・プレート３２の裏面のバーリング部が形成された平坦部（ネジ止め部）と、アクチュエータ・アッセンブリ１２が軸支された平坦部に、図９（ｄ）に示すようにスクリュー・シール３７が貼られる。カバー・シール３６及びスクリュー・シール３７としては、粘着テープが、薄くて高さ方向に嵩張らず、かつ剥がし易くて貼り直しが容易なので適当である。
【図面の簡単な説明】
【００４２】
【図１】本発明の実施例によるディスク装置の内部構成を示す斜視図である。
【図２】図１に示したディスク装置にトップ・カバーを取り付けた状態を示す斜視図である。
【図３】図２のＡ−Ａ線断面図である。
【図４】本発明の実施例によるディスク装置のアッセンブリ構造を示す分解斜視図である。
【図５】本発明の実施例によるディスク装置の内部構成を示す上面図である。
【図６】本発明の実施例による、ベース・プレートとＦＣプレートの位置関係を示す図である。
【図７】図６の部分拡大図である。
【図８】本発明の実施例による、ＦＣプレートをベース・プレートに取り付ける方法を説明するための図である。
【図９】本発明の実施例によるシール構造を示す図である。
【図１０】図９（ｂ）のＢ−Ｂ線断面図である。
【符号の説明】
【００４３】
１…ディスク装置、１０…機能部材、１１…磁気ディスク、１２…アクチュエータ・アッセンブリ、１３…ＶＣＭアッセンブリ、１４…トップ・クランプ、１７…ＦＣプレート、１８…ＦＣ，２０…カード・アッセンブリ、２１…基板、２２…コネクタ(インタフェースコネクタ)、３０…フレーム・バンパ、３１…ボトム・カバー、３２…ベース・プレート、３３…トップ・カバー、３４…ボトム・カバー・スクリュー、３５…トップ・カバー・スクリュー、３６…カバー・シール、３７…スクリュー・シール、４０…ブラケット、３２１，３２２，３３１…バーリング部、３２３…ボス。
【図１】
2005078763.tif 000003
【図２】
2005078763.tif 000004
【図３】
2005078763.tif 000005
【図４】
2005078763.tif 000006
【図５】
2005078763.tif 000007
【図６】
2005078763.tif 000008
【図７】
2005078763.tif 000009
【図８】
2005078763.tif 000010
【図９】
2005078763.tif 000011
【図１０】
2005078763.tif 000012